(57)【要約】【課題】吸収体が幅縮みし難く十分な吸収性能が発揮できる着用物品を提供すること。着用者の動きに伴って吸収性本体が移動し易くフィット感が向上し体液の漏れが防止できる着用物品を提供すること。【解決手段】本発明の着用物品１は吸収体２３を含む吸収性本体２とその非肌対向面側に配された外装体３とを備える。吸収性本体２と外装体３とは、吸収性本体２と外装体３との間に配されたシート部材６を介して固定されている。外装体３は横方向Ｙに伸縮性を有する。着用物品１は、吸収性本体２にシート部材６が固定された本体固定部５２と、外装体３にシート部材６が固定された外装体固定部５３とを備える。シート部材６は、本体固定部５２と外装体固定部５３との間に非固定部６３を有する。外装体３の自然状態で非固定部６３の一部が吸収性本体２の側部２Ｓから横方向Ｙ外方に延出する。【選択図】図３
2019118590.tif 000002
【特許請求の範囲】
【請求項１】
液保持性の吸収体を含む吸収性本体と、該吸収性本体の非肌対向面側に配された外装体とを備え、着用者の前後方向に対応する縦方向とこれに直交する横方向とを有する着用物品であって、
前記吸収性本体と前記外装体とは、該吸収性本体と該外装体との間に配されたシート部材を介して固定されており、
前記外装体は、少なくとも前記吸収性本体と重なる領域において、少なくとも前記横方向に伸縮性を有し、
前記着用物品は、前記吸収性本体と前記シート部材とが前記縦方向に沿って固定された本体固定部と、前記外装体と該シート部材とが前記縦方向に沿って固定された外装体固定部とを備え、
前記シート部材は、前記本体固定部と前記外装体固定部との間に非固定部を有し、
前記外装体を前記横方向に伸長させた状態及び前記外装体の自然状態において、それぞれ、前記外装体固定部の前記縦方向に沿う前記非固定部側の側縁が、前記本体固定部の前記縦方向に沿う前記非固定部側の側縁よりも前記横方向外方に位置しており、
前記外装体の自然状態において、前記非固定部の一部が前記吸収性本体の前記縦方向に沿う側部から前記横方向外方に延出している、着用物品。
【請求項２】
前記外装体の自然状態において、前記外装体固定部の前記非固定部側の側縁と前記本体固定部の前記非固定部側の側縁との間隔（Ｄ１）に対する、前記非固定部の前記横方向に沿う長さ（Ｗ６３１）の割合（（Ｗ６３１／Ｄ１）×１００）は、１２５％以上であり、５００％以下である、請求項１に記載の着用物品。
【請求項３】
前記外装体の自然状態において、前記吸収体の前記側部の側縁と前記外装体固定部の前記非固定部側の側縁と間隔（Ｄ２）は、１０ｍｍ以上であり、４０ｍｍ以下である、請求項１又は２に記載の着用物品。
【請求項４】
前記シート部材は、前記吸収性本体の前記縦方向に沿う両側部それぞれに配されている、請求項１〜３の何れか１項に記載の着用物品。
【請求項５】
前記吸収性本体における前記縦方向に沿う両側部それぞれに防漏カフが配されており、
各前記防漏カフを形成するカフ形成用シートは、前記吸収性本体から前記外装体に向かって延びる延出域を備え、
前記シート部材は、前記カフ形成用シートの前記延出域により形成されている、請求項１〜４の何れか１項に記載の着用物品。
【請求項６】
前記吸収性本体は、前記吸収体の非肌対向面側を覆う裏面シートを含み、
前記裏面シートは、その前記縦方向に沿う両側部が、前記吸収性本体から前記外装体に向かって延びており、
前記シート部材は、前記裏面シートの前記側部により形成されている、請求項１〜４の何れか１項に記載の着用物品。
【発明の詳細な説明】
【技術分野】
【０００１】
本発明は、使い捨ておむつ等の着用物品に関する。
【背景技術】
【０００２】
使い捨ておむつとして、液保持性の吸収体を含む吸収性本体と、該吸収性本体の非肌対向面側に配されて該吸収性本体を固定する外装体とを備え、該外装体における腹側部及び背側部それぞれの両側縁部どうしを接合して、着用者の胴が通されるウエスト開口部及び着用者の下肢が通される一対のレッグ開口部が形成されたパンツ型使い捨ておむつが知られている。例えば、特許文献１には、外装体と吸収性本体との間に、これらとは別体の吸収体固定用シートを配し、該吸収体固定用シートを介して外装体と吸収性本体とを固定するパンツ型使い捨ておむつが記載されている。特許文献１に記載の使い捨ておむつでは、吸収体固定用シートが外装体と吸収性本体との間において左右に配置されている。
【０００３】
特許文献２には、液保持性の吸収体を含む液吸収部材と、該液吸収部材の非肌対向面側に配された支持体と、それらの間に、別体の側壁シートとを備えた生理用ナプキンが記載されている。特許文献２に記載の生理用ナプキンでは、側壁シートが支持体の幅方向の両端部それぞれに縦方向に延びて配置されており、各側壁シートを介して液吸収部材及び支持体が固定されている。
【先行技術文献】
【特許文献】
【０００４】
【特許文献１】国際公開第０１／０５８４０１号パンフレット
【特許文献２】特開２００１−２４５９２８号公報
【発明の概要】
【発明が解決しようとする課題】
【０００５】
特許文献１に記載の使い捨ておむつは、外装体を横方向へ伸長させた状態で各吸収体固定用シートを介して吸収性本体を固定して形成されている。そして、外装体と吸収性本体との間で吸収体固定用シートがあそびの間隔無く固定されている。その為、特許文献１に記載のおむつは、吸収性本体の横方向の剛性により外装体の横方向の伸縮が阻害されるため、外装体に無秩序な皺が発生し、審美性が低下する。また、特許文献１には、着用時の着用者の動きに伴って吸収性本体を移動させてフィットさせ、体液の漏れを防止することに関して、何ら記載されていない。
【０００６】
また、特許文献２には、使い捨ておむつの外観を構成し、全面に伸縮性を有する外装体に関して、何ら記載されていない。
【０００７】
従って本発明の課題は、審美性の低下を抑制し、且つ着用時の着用者の動きに伴って吸収性本体が移動し易く、フィット感が向上し、体液の漏れが防止できる着用物品を提供することに関する。
【課題を解決するための手段】
【０００８】
本発明は、液保持性の吸収体を含む吸収性本体と、該吸収性本体の非肌対向面側に配された外装体とを備え、着用者の前後方向に対応する縦方向とこれに直交する横方向とを有する着用物品であって、前記吸収性本体と前記外装体とは、該吸収性本体と該外装体との間に配されたシート部材を介して固定されており、前記外装体は、少なくとも前記吸収性本体と重なる領域において、少なくとも前記横方向に伸縮性を有し、前記着用物品は、前記吸収性本体と前記シート部材とが前記縦方向に沿って固定された本体固定部と、前記外装体と該シート部材とが前記縦方向に沿って固定された外装体固定部とを備え、前記シート部材は、前記本体固定部と前記外装体固定部との間に非固定部を有し、前記外装体を前記横方向に伸長させた状態及び前記外装体の自然状態において、それぞれ、前記外装体固定部の前記縦方向に沿う前記非固定部側の側縁が、前記本体固定部の前記縦方向に沿う前記非固定部側の側縁よりも前記横方向外方に位置しており、前記外装体の自然状態において、前記非固定部の一部が前記吸収性本体の前記縦方向に沿う側部から前記横方向外方に延出している、着用物品を提供するものである。
【発明の効果】
【０００９】
本発明の着用物品によれば、審美性の低下を抑制し、且つ着用時の着用者の動きに伴って吸収性本体が移動し易く、フィット感が向上し、体液の漏れが防止できる。
【図面の簡単な説明】
【００１０】
【図１】図１は、本発明の着用物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３（ａ）は、図２のＩＩＩ−ＩＩＩ線断面（横方向に沿う断面）を模式的に示す外装体を伸長させた状態における横断面図であり、図３（ｂ）は、外装体３の自然状態における横断面図である。
【図４】図４（ａ）は、図２のＩＶ−ＩＶ線端面（横方向に沿う端面）を模式的に示す外装体を伸長させた状態における横端面図であり、図３（ｂ）は、外装体３の自然状態における横端面図である。
【図５】図５は本発明の着用物品を着用した際の吸収性本体の動きを説明するための横断面図である。
【図６】図６（ａ）は本発明の着用物品の他の実施形態のおむつにおける外装体を伸長させた状態における腹側部の横断面図であり、図６（ｂ）は、外装体３の自然状態における腹側部の横断面図である。
【図７】図７（ａ）は本発明の着用物品の別の実施形態のおむつにおける外装体を伸長させた状態における腹側部の横断面図であり、図７（ｂ）は、外装体３の自然状態における腹側部の横断面図である。
【図８】図８（ａ）は本発明の着用物品のまた別の実施形態のおむつにおける外装体を伸長させた状態における腹側部の横断面図であり、図８（ｂ）は、外装体３の自然状態における腹側部の横断面図である。
【図９】図９（ａ）は本発明の着用物品のまた別の実施形態のおむつにおける外装体を伸長させた状態における腹側部の横断面図であり、図９（ｂ）は、外装体３の自然状態における腹側部の横断面図である。
【図１０】図１０（ａ）は本発明の着用物品のまた別の実施形態のおむつにおける外装体を伸長させた状態における腹側部の横断面図であり、図１０（ｂ）は、外装体３の自然状態における腹側部の横断面図である。
【図１１】図１１（ａ）は本発明の着用物品のまた別の実施形態のおむつにおける外装体を伸長させた状態における腹側部の横断面図であり、図１１（ｂ）は、外装体３の自然状態における腹側部の横断面図である。
【図１２】図１２（ａ）は本発明の着用物品のまた別の実施形態のおむつにおける外装体を伸長させた状態における腹側部の横断面図であり、図１２（ｂ）は、外装体３の自然状態における腹側部の横断面図である。
【発明を実施するための形態】
【００１１】
以下本発明を、その好ましい実施形態に基づき図面を参照しながら説明する。図１〜図４には、本発明の着用物品の一実施形態であるパンツ型使い捨ておむつ１が示されている。おむつ１は、図１〜図４に示すように、着用者の前後方向、即ち腹側から股間部を介して背側に延びる方向に相当する縦方向Ｘと、これに直交する横方向Ｙとを有している。おむつ１は、吸収性本体２と、吸収性本体２の非肌対向面側に配された外装体３とを備えている。
【００１２】
本明細書において、「肌対向面」は、使い捨ておむつ又はその構成部材（例えば表面シート）における、使い捨ておむつの着用時に着用者の肌側に向けられる面、即ち相対的に着用者の肌に近い側であり、「非肌対向面」は、使い捨ておむつ又はその構成部材における、使い捨ておむつの着用時に肌側とは反対側に向けられる面、即ち相対的に着用者の肌から遠い側である。尚、ここでいう「着用時」は、通常の適正な着用位置、即ち当該使い捨ておむつの正しい着用位置が維持された状態を意味する。
【００１３】
おむつ１は、図１及び図２に示すように、股下部Ｍ並びに該股下部Ｍの前後から縦方向Ｘに延出する腹側部Ｆ及び背側部Ｒを有する。股下部Ｍは、おむつ１の着用時において着用者の股間部に配される部位であり、腹側部Ｆは、おむつ１の着用時において股下部Ｍよりも着用者の腹側即ち縦方向Ｘの前側に配される部位であり、背側部Ｒは、おむつ１の着用時において股下部Ｍよりも着用者の背側即ち縦方向Ｘの後側に配される部位である。腹側部Ｆ及び背側部Ｒは、おむつ１の着用時に着用者の胴周りに配される胴周り部である。
【００１４】
おむつ１は、腹側部Ｆ及び背側部Ｒそれぞれにおける外装体３の縦方向Ｘに沿う両側縁部どうしが、接着剤、ヒートシール、超音波シール等の公知の接合手段によって互いに接合されている。そして、おむつ１は、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されたパンツ型使い捨ておむつとなっている。
【００１５】
吸収性本体２は、図３及び図４に示すように、肌対向面を形成する液透過性の表面シート２１、非肌対向面を形成する液不透過性又は液難透過性の裏面シート２２、及び両シート２１，２２間に介在配置された液保持性の吸収体２３を具備しており、これらが接着剤等の公知の接合手段により一体化されて構成されている。表面シート２１は、縦方向Ｘ及び横方向Ｙの長さが、それぞれ吸収体２３の縦方向Ｘ及び横方向Ｙの長さと略同じ長さに形成されている。裏面シート２２は、縦方向Ｘの長さが吸収体２３の縦方向Ｘの長さと略同じ長さに形成されている。また裏面シート２２は、横方向Ｙの長さが吸収体２３の横方向Ｙの長さよりも長く形成されており、吸収体２３の縦方向Ｘに沿う両側部を被覆するように各該側部の肌対向面側に巻き上げられている。このように、吸収体２３の肌対向面は表面シート２１で覆われており、吸収体２３の非肌対向面は裏面シート２２で覆われている。
【００１６】
吸収体２３を構成する吸収性コアは、図２に示す如きおむつ１の展開且つ伸長状態において、縦方向Ｘに長い長方形形状をなし、腹側部Ｆから背側部Ｒに亘って縦方向Ｘに延在している。図２に示すように、縦方向Ｘの全長に関し、吸収性本体２と吸収体２３とは略同じ長さであり、吸収性本体２の縦方向Ｘの両端は、吸収体２３の縦方向Ｘの両端と略同じ位置にある。また、図２〜図４に示すように、横方向Ｙの全長に関し、吸収性本体２と吸収体２３とは略同じ長さであり、吸収性本体２の縦方向Ｘに沿う両側縁は、吸収体２３の縦方向Ｘに沿う両側縁と略同じ位置にある。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１７】
表面シート２１、裏面シート２２及び吸収体２３としては、使い捨ておむつ等の吸収性物品に従来用いられている各種のもの等を特に制限なく用いることができる。例えば、表面シート２１としては、単層又は多層構造の不織布や、開孔フィルム等を用いることができる。裏面シート２２としては、透湿性の樹脂フィルム等を用いることができる。吸収体２３としては、吸収性ポリマーの粒子及び繊維材料から構成された吸収性材料からなる吸収性コアがティッシュペーパーによって被覆されているものを用いることができる。
【００１８】
外装体３は、図２に示す如き展開且つ伸長状態のおむつ１において、吸収性本体２の全周から外方に延出しており、おむつ１の外形を形作っている。外装体３の周縁は、図２に示す状態のおむつ１の輪郭線、即ち、腹側部Ｆ、股下部Ｍ及び背側部Ｒそれぞれの輪郭線を形成している。外装体３は、腹側部Ｆ及び背側部Ｒにおける横方向Ｙの長さが、股下部Ｍにおける横方向Ｙの長さよりも長く、図２に示す如き平面視において、外装体３の縦方向Ｘに沿う両側縁が、股下部Ｍにおいて、横方向Ｙ内方に向かって凸の円弧状に湾曲している。
【００１９】
外装体３は、おむつ１では、外装体３の腹側部Ｆから背側部Ｒに亘る全域において横方向Ｙに伸縮性を有している。本明細書において「伸縮性」とは、所定方向に伸長可能であり且つ伸長を解除すると収縮する性質を意味する。伸縮性を有する外装体３に使用可能な伸縮シートとしては、２枚のシートの間に伸長状態の伸縮部材を配置した伸縮シートの他、例えば（１）面状に拡がる弾性繊維層の両面又は片面に伸長可能な繊維層が一体化されている伸縮シート、（２）面状に拡がるネット状の弾性シートの両面又は片面に伸長可能な繊維層が一体化されている伸縮シート、（３）面状に拡がる弾性フィルムの両面又は片面に伸長可能な繊維層が一体化されている伸縮シート、（４）互いに交差せずに一方向に延びるように配列した多数の弾性フィラメントが、実質的に非伸長状態で、それらの全長にわたり、伸長可能な不織布に接合されてなる伸縮シート等を好ましく用いることができる。弾性繊維層等と伸長可能な繊維層等との一体化の方法としては、例えば、これらを積層して水流交絡したり、エアスルー等により繊維を交絡させる方法、ヒートエンボス、接着剤、超音波等によって接合させたりする方法が挙げられる。前記（１）〜（３）の伸縮シートは、横方向Ｙのみならず全方向に伸縮性を有していてもよい。（４）の形態には身体の曲率に合わせて弾性フィラメントの伸縮率を変更することで適材適所の応力設計が可能という利点がある。おむつ１では、外装体３に２枚のシートの間に伸長状態の伸縮部材を配置した伸縮シートを用いている。
【００２０】
外装体３は、図２に示すように、おむつ１の外面を形成する外層シート３１と、該外層シート３１の肌対向面側に配される内層シート３２とを重ねて形成されている。外層シート３１及び内層シート３２は、同一形状で且つ同じ大きさに形成されている。弾性部材３３は、外装体３の横方向Ｙの全長に亘って連続している。弾性部材３３は、腹側部Ｆから股下部Ｍを介して背側部Ｒに亘って、縦方向Ｘに間隔を空けて互いに交差せずに配されており、外層シート３１及び内層シート３２の少なくとも一方に接合されている。外装体３は、腹側部Ｆから背側部Ｒに亘る全域において、弾性部材３３の延びる方向（横方向Ｙ）と同方向である横方向Ｙに伸縮可能になっている。
【００２１】
おむつ１には、図２〜図４に示すように、吸収性本体２における縦方向Ｘに沿う両側部２Ｓ，２Ｓそれぞれに防漏カフ４が配されている。防漏カフ４は、吸収性本体２の縦方向Ｘの全長に亘って連続する撥水性のカフ形成用シート４１と、カフ形成用シート４１の横方向Ｙの自由端部に縦方向Ｘに伸長状態で固定された１本又は複数本のカフ弾性部材４２とを含んで構成されている。吸収性本体２の両側部２Ｓ，２Ｓそれぞれの肌対向面には、防漏カフ４と表面シート２１とが縦方向Ｘに沿って固定された上側のカフ固定部５１ａが形成されている。上側のカフ固定部５１ａは、カフ形成用シート４１が吸収性本体２の表面シート２１の肌対向面に固定されて形成されており、吸収性本体２の縦方向Ｘの全長に亘って延びている。おむつ１では、上側のカフ固定部５１ａは、おむつ１の着用時に着用者の肌に向けて防漏カフ４が起立する際の起端部となる。またおむつ１では、カフ形成用シート４１が、上側のカフ固定部５１ａを越え、吸収性本体２の側部２Ｓの側縁から横方向Ｙ外方に延出して形成されており、吸収性本体２の側部２Ｓを被覆するように、側部２Ｓの肌対向面側から非肌対向面側に巻き下げられている。そして、吸収性本体２の両側部２Ｓ，２Ｓそれぞれの非肌対向面には、巻き下げられた防漏カフ４の一端部と裏面シート２２とが縦方向Ｘに沿って固定された下側のカフ固定部５１ｂが形成されている。下側のカフ固定部５１ｂは、カフ形成用シート４１が吸収性本体２の裏面シート２２の非肌対向面に固定されて形成されており、吸収性本体２の縦方向Ｘの全長に亘って延びている。このようにおむつ１は、上側のカフ固定部５１ａ及び下側のカフ固定部５１ｂを備えるカフ固定部５１を有している。そして、防漏カフ４は、上側のカフ固定部５１ａ及び下側のカフ固定部５１ｂにおいて吸収性本体２の側部２Ｓに固定されており、上側のカフ固定部５１ａと下側のカフ固定部５１ｂとは、厚み方向で重なるように配されている。
【００２２】
図４（ａ）に示す外装体３を伸長させた状態のおむつ１の股下部Ｍの横端面図において、上側のカフ固定部５１ａの横方向Ｙの長さと、下側のカフ固定部５１ｂの横方向Ｙの長さとが厚み方向で重なる重なり幅は、下側のカフ固定部５１ｂの横方向Ｙの長さが、上側のカフ固定部５１ａの横方向Ｙの長さとどの程度重なっているかで判断する。該重なり幅は、６０％以上であることが好ましく、８０％以上であることがより好ましく、１００％であることが特に好ましい。尚、重なり幅が１００％であるとは、上側のカフ固定部５１ａの横方向Ｙの長さと下側のカフ固定部５１ｂの横方向Ｙの長さとが厚み方向に一致して、互いに重なっていることをいう他、下側のカフ固定部５１ｂの横方向Ｙの長さが、上側のカフ固定部５１ａの横方向Ｙの範囲内に含まれることをいう。
【００２３】
防漏カフ４は、吸収性本体２の縦方向Ｘの腹側端部及び背側端部それぞれにおいて、防漏カフ４の他端部である自由端部を構成するカフ形成用シート４１が吸収体２３上の表面シート２１の肌対向面に固定されている。防漏カフ４は、おむつ１の着用時には、縦方向Ｘにカフ弾性部材４２の収縮力が働き、少なくとも股下部Ｍにおいて上側のカフ固定部５１ａを起点としてカフ弾性部材４２を配した自由端部が着用者の肌に向けて起立するようになっている。カフ形成用シート４１及びカフ弾性部材４２としては、使い捨ておむつ等の吸収性物品に従来用いられている各種のもの等を特に制限なく用いることができる。
【００２４】
図３及び図４に示すように、吸収性本体２と外装体３とは、直接接合されておらず、吸収性本体２と外装体３との間に配されたシート部材６を介して固定されている。シート部材６は縦方向Ｘに延在しており、シート部材６の縦方向Ｘの全長と吸収性本体２の縦方向Ｘの全長とは略同じ長さである。おむつ１では、シート部材６は、吸収性本体２の縦方向Ｘに沿う両側部２Ｓ，２Ｓそれぞれに対応する位置を含む領域に一対配されており、互いに間隔を空けて配されている。
尚、図３に記載の断面図及び図４に記載の端面図では、吸収性本体２と外装体３との間に大きな隙間があるように図示しているが、これは説明のための模式図だからであり、実際には前記大きな隙間は生じず、吸収性本体２と外装体３との間は近接している。
【００２５】
一対のシート部材６，６は、それぞれ、１枚のシートで形成されている。各シート部材６は、図３及び図４に示すように、横方向Ｙの中央部分が外方に凸になるように折り畳まれている。股下部Ｍにおいて、シート部材６は、図４（ｂ）に示す外装体３の自然状態における外装体３の両側部から露出している。ここで、本明細書において、「自然状態」とは、おむつ１単独の状態（つまり着用時ではない状態）で、外装体３に外力を加えない緩和状態をいう。
【００２６】
シート部材６としては、単層又は多層構造の不織布、フィルムシート等を用いることができ、体液等のもれを防止する等の観点から、液不透過性又は液難透過性であることが好ましい。また、シート部材６は、股下部Ｍにおいて、図４（ｂ）に示す外装体３の自然状態における外装体３の両側部から露出することから、おむつ１の着用時の外観において審美性を向上させる観点により、外装体３と同色又は同系色とすることが好ましい。同系色とは、同系統の色であって、色相が同じ又は近似する色を意味する。外装体３に、柄及び模様等が印刷されている場合には、シート部材６にも同様に、外装体３の柄又は模様等と同一又は類似の印刷を行うことが好ましい。シート部材６に外装体３の柄又は模様等と同一又は類似の印刷を行うことでおむつ１の着用時の外観の審美性をより一層向上させることができる。シート部材６として不織布を用いる場合、その不織布の坪量は、好ましくは８ｇ／ｍ2以上さらに好ましくは１３ｇ／ｍ2以上、そして、好ましくは３０ｇ／ｍ2以下、さらに好ましくは２０ｇ／ｍ2以下である。
【００２７】
おむつ１は、図３及び図４に示すように、吸収性本体２の非肌対向面側にシート部材６が縦方向Ｘに沿って固定された本体固定部５２と、外装体３の肌対向面にシート部材６が縦方向Ｘに沿って固定された外装体固定部５３とを備えている。シート部材６では、横方向Ｙにおいて、吸収性本体２側に配された一端部６１が、下側のカフ固定部５１ｂにて吸収性本体２の非肌対向面に固定された防漏カフ４の一端部と、本体固定部５２を介して固定されている。本体固定部５２では、シート部材６の一端部６１が、吸収性本体２の非肌対向面側に、帯状に面接触する状態で固定されている。本体固定部５２は、縦方向Ｘに延在する帯状に形成されており、本体固定部５２の縦方向Ｘの全長とシート部材６の縦方向Ｘの全長とは略同じ長さである。またシート部材６では、横方向Ｙにおいて、外装体３側に配された他端部６２が、外装体３の肌対向面と外装体固定部５３を介して固定されている。外装体固定部５３では、シート部材６の他端部６２が、外装体３の肌対向面に、帯状に面接触する状態で固定されている。外装体固定部５３は、本体固定部５２と同様に、縦方向Ｘに延在する帯状に形成されており、外装体固定部５３の縦方向Ｘの全長とシート部材６の縦方向Ｘの全長とは略同じ長さである。そして、おむつ１の自然状態において、外装体固定部５３では、図３（ｂ）及び図４（ｂ）に示すように、外装体３に形成された皺に沿ってシート部材６が配された状態となっている。おむつ１では、本体固定部５２及び外装体固定部５３は、シート部材６が外方に凸に折り畳まれた形態であるため、シート部材６における同じ面の表面上に形成されている。
【００２８】
本体固定部５２及び外装体固定部５３は、接着剤或いは熱融着により形成することができ、おむつ１では、接着剤を塗工して形成されている。塗工する接着剤としては、ホットメルト粘着剤などの使い捨ておむつ等の吸収性物品において公知の接着剤を用いることができる。また、接着剤は、一面全体に連続して塗工しても良いが、塗工部と非塗工部が混在した状態に形成されるパターン塗工が好ましい。パターン塗工の塗工パターンとしては、スパイラルパターン、ストライプパターン、ドットパターン等が挙げられる。
【００２９】
本体固定部５２は、本体固定部５２の縦方向Ｘに沿う両側縁として、非固定部６３側の側縁５２Ｓと、該側縁５２Ｓとは反対側の側縁とを有している。ここで、本体固定部５２の側縁５２Ｓとは、本体固定部５２の縦方向Ｘに沿う両側縁の内、非固定部６３における吸収性本体２側の端縁に近い側の側縁である。同様に、外装体固定部５３は、外装体固定部５３の縦方向Ｘに沿う両側縁として、非固定部６３側の側縁５３Ｓと、該側縁５３Ｓとは反対側の側縁とを有している。ここで、外装体固定部５３の側縁５３Ｓとは、外装体固定部５３の縦方向Ｘに沿う両側縁の内、非固定部６３における外装体３側の端縁に近い側の側縁である。
【００３０】
おむつ１の着用時の外観において該おむつ１の審美性が向上する観点から、図３（ａ）に示すように、外装体３を横方向Ｙに伸長させた状態において、おむつ１を横方向Ｙに沿って断面視して、外装体固定部５３の非固定部６３側の側縁５３Ｓが、本体固定部５２の非固定部６３側の側縁５２Ｓよりも横方向Ｙ外方に位置していることが好ましい。このような関係が、腹側部Ｆ及び背側部Ｒの両方において成立していることが好ましく、図４（ａ）に示すように、腹側部Ｆ及び背側部Ｒのみならず股下部Ｍにおいても成立していることが更に好ましい。特におむつ１のように、本体固定部５２及び外装体固定部５３が、それぞれ、一対形成されている場合には、各外装体固定部５３の全域が、本体固定部５２の非固定部６３側の側縁５２Ｓよりも横方向Ｙ外方に位置していることが更に好ましい。ここで、「外装体３を横方向Ｙに伸長させた状態」とは、おむつ１の展開且つ伸長状態において、外装体３の横方向Ｙのみに着目しており、具体的には弾性部材３３を伸長させて外層シート３１及び内層シート３２の設計寸法となるまで拡げた状態をいう。
【００３１】
そして、おむつ１の着用時の外観において該おむつ１の審美性が向上する観点から、図３（ｂ）に示すように、外装体３の自然状態において、おむつ１を横方向Ｙに沿って断面視して、外装体固定部５３の非固定部６３側の側縁５３Ｓが、本体固定部５２の非固定部６３側の側縁５２Ｓよりも横方向Ｙ外方に位置していることが好ましい。このような関係が、腹側部Ｆ及び背側部Ｒの両方において成立していることが好ましく、図４（ｂ）に示すように、腹側部Ｆ及び背側部Ｒのみならず股下部Ｍにおいても成立していることが更に好ましい。
【００３２】
一対のシート部材６，６は、それぞれ、図３及び図４に示すように、本体固定部５２と外装体固定部５３との間に非固定部６３を有している。おむつ１では、非固定部６３によって、本体固定部５２と外装体固定部５３とが隔てられている。非固定部６３は、縦方向Ｘに延在しており、シート部材６の縦方向Ｘの全長に亘って形成されている。非固定部６３は、吸収性本体２及び外装体３のみならず、おむつ１を構成する全ての部材と固定されていない。おむつ１では、吸収性本体２と外装体３とが、直接固定されておらず、シート部材６を介して固定されており、該シート部材６が、一端部６１と他端部６２との間に非固定部６３を有している。その為、外装体３の自然状態における横方向Ｙへの収縮が阻害され難くなる。その結果、外装体３に無秩序に皺が発生することが抑制され、おむつ１の審美性の低下が抑制される。このように、無秩序に発生する皺が抑制され、外装体３の全体に形成される皺がほぼ均一となることで、おむつ１の審美性が向上する。
【００３３】
上述したように、図３（ｂ）及び図４（ｂ）に示す外装体３の自然状態において、おむつ１を横方向Ｙに沿って断面視して、外装体固定部５３の非固定部６３側の側縁５３Ｓが本体固定部５２の非固定部６３側の側縁５２Ｓよりも横方向Ｙ外方に位置しており、外方に凸に折り畳まれた各シート部材６の有する非固定部６３は、弛んだ状態となっている。そして、各シート部材６の有する非固定部６３は、その一部が、吸収体２３の縦方向Ｘに沿う側部２３Ｓの側縁から横方向Ｙ外方に延出している。おむつ１では、図１に示すように、各シート部材６の非固定部６３の一部が吸収性本体２の側部２Ｓの側縁から横方向Ｙ外方に延出しており、非固定部６３が弛んだ状態となっている。その為、おむつ１の着用時に、着用者の動きに伴って吸収性本体２が移動し易く、吸収性本体２の着用者へのフィット感が向上し、体液の漏れが防止できる。また、吸収性本体２が移動することでシート部材６の非固定部６３の弛みを使い切った状態においても、図５に示すように、外装体３の伸縮力が吸収性本体２のズレを修正する方向に作用するので、より一層吸収性本体２の着用者へのフィット感が向上し、体液の漏れが防止できる。詳細には、図５の上図は吸収性本体２が外装体３に対して図中右方向に移動し、上述の様に非固定部６３の弛みを使い切った状態である。この状態から、更に吸収性本体２を図中右方向に移動（ズレ）させようとすると、非固定部６３の弛みが無いため、外装体３ごと図中右側に動こうとする。その際、図５の下図のように外装体３の内、図中左側の外装体３の一部が伸長させられる。該伸長させられた外装体３の一部には収縮力が発生し、吸収性本体２を図中左側に引き戻す方向に力が働く。このようにして外装体３の収縮力が吸収性本体２のズレを修正する方向に作用する。
なお、上述の「吸収性本体２が移動する」とは吸収性本体２が外装体３に対して相対的に移動することを意味し、おむつ１の使用態様により、外装体３が移動せずに吸収性本体２が移動する、外装体３が移動し吸収性本体２が移動しない、外装体３と吸収性本体２の両方が移動するという概念を含んでいる。
【００３４】
上述したおむつ１は、例えば、以下のようにして製造することができる。
予め外装体３の連続体及び吸収性本体２をそれぞれ製造し、一対のシート部材６，６を用意する。そして、図３（ｂ）及び図４（ｂ）に示す外装体３の自然状態において、吸収体２３の横方向Ｙの長さ（Ｗ２３）に対する、シート部材６の非固定部６３を平面視した際の横方向Ｙの間隔（一対の非固定部６３，６３を備える場合はそれぞれの横方向Ｙの間隔の総和）（Ｗ６３１）の割合（（Ｗ６３１／Ｗ２３）×１００）を、２５％以上、そして、２００％以下となるように、搬送方向に伸長状態の外装体３の連続体とシート部材６との接合位置及び吸収性本体２とシート部材６との接合位置等を調整する。前記割合（（Ｗ６３１／Ｗ２３）×１００）は、２５％以上であることが好ましく、５０％以上であることが更に好ましく、そして、２００％以下であることが好ましく、１５０％以下であることが更に好ましく、具体的には、２５％以上２００％以下であることが好ましく、５０％以上１５０％以下であることが更に好ましい。このように調整することにより、外装体３の自然状態において、シート部材６の有する非固定部６３の一部を吸収性本体２の側部２Ｓの側縁から延出させることができる。
【００３５】
「シート部材６の非固定部６３を平面視した際の横方向Ｙの間隔」とは、外方に凸になるように折畳まれているシート部材６を平面視して、非固定部６３の該凸部の頂点から本体固定部５２の非固定部６３側の側縁５２Ｓまでの間隔と、前記凸部の頂点から外装体固定部５３の非固定部６３側の側縁５３Ｓまでの間隔の内、長い方の間隔を意味する。前述のように、一対の非固定部６３，６３を備える場合はそれぞれの横方向Ｙの間隔の総和である。
おむつ１では、外装体３の自然状態において、外装体固定部５３の非固定部６３側の側縁５３Ｓが、本体固定部５２の非固定部６３側の側縁５２Ｓよりも横方向Ｙ外方に位置している。そのため、おむつ１において「外装体３の自然状態において、シート部材６の非固定部６３を平面視した際の横方向Ｙの間隔Ｗ６３１」とは、吸収性本体２側から視た際の非固定部６３の凸の頂点から本体固定部５２の側縁５２Ｓまでの間隔である。
【００３６】
上述の調整位置にてシート部材６を介して吸収性本体２及び伸長状態の外装体３を固定した後、おむつの製造に従来用いられる横流れの製造方法と同様にして外装体３を所定の形状にカット及び接合等して、上述したおむつ１を製造することができる。おむつ１では、伸長状態の外装体３に対してシート部材６を接合することから、外装体３とシート部材６とは、外装体固定部５３にて面接触により接合される。その為、おむつの自然状態において、シート部材６は外装体３に形成された皺に沿うようになる。
【００３７】
吸収性本体２、外装体３及びシート部材６の具体的な大きさ等は、所望の値に基づいて適宜設定することができる。例えば、図４（ａ）に示す外装体３を横方向Ｙに伸長させた状態の股下部Ｍ（最狭部）において、外装体３の横方向Ｙの長さ（Ｗ３）に対する、シート部材６の非固定部６３を平面視した際の横方向Ｙの間隔（一対の非固定部６３，６３を備える場合はそれぞれの横方向Ｙの間隔の総和）（Ｗ６３２）の割合（（Ｗ６３２／Ｗ３）×１００）を、１０％以上、そして、５０％以下に設定することにより製造することができる。該割合（（Ｗ６３２／Ｗ３）×１００）は、１０％以上であることが好ましく、１５％以上であることが更に好ましく、そして、５０％以下であることが好ましく、４０％以下であることが更に好ましく、具体的には、１０％以上５０％以下であることが好ましく、１５％以上４０％以下であることが更に好ましい。
おむつ１では、外装体３を横方向Ｙに伸長させた状態において、外装体固定部５３の非固定部６３側の側縁５３Ｓが、本体固定部５２の非固定部６３側の側縁５２Ｓよりも横方向Ｙ外方に位置している。そのため、おむつ１において「外装体３を横方向Ｙに伸長させた状態において、シート部材６の非固定部６３を平面視した際の横方向Ｙの間隔Ｗ６３２」とは、吸収性本体２側から平面視した際の非固定部６３の凸の頂点から本体固定部５２の側縁５２Ｓまでの間隔である。
【００３８】
おむつ１では、図３及び図４に示すように、一対の本体固定部５２，５２及び一対の外装体固定部５３は、それぞれ、互いに間隔を空けて配されている。このように、本体固定部５２及び外装体固定部５３の配置が部分的であるので、本体固定部５２及び外装体固定部５３によって外装体３の収縮が阻害され難く、おむつ１の着用時の外観において、外装体３に無秩序な皺が発生し難く、審美性が向上する。
【００３９】
また、おむつ１の着用時に着用者の動きに伴って吸収性本体２が移動し易く吸収性本体２の着用者へのフィット感が向上する観点から、図３（ｂ）及び図４（ｂ）に示す外装体３の自然状態において、おむつ１を横方向Ｙに沿って断面視して、外装体固定部５３の非固定部６３側の側縁５３Ｓと本体固定部５２の非固定部６３側の側縁５２Ｓとの間隔（吸収性本体２の両側部２Ｓ，２Ｓでの該間隔の総和）（Ｄ１）に対する、非固定部６３を平面視した際の横方向Ｙの間隔（一対の非固定部６３，６３を備える場合はそれぞれの横方向Ｙの間隔の総和）（Ｗ６３１）の割合（（Ｗ６３１／Ｄ１）×１００）は、１２５％以上であることが好ましく、２００％以上であることが更に好ましく、そして、５００％以下であることが好ましく、４００％以下であることが更に好ましく、具体的には、１２５％以上５００％以下であることが好ましく、２００％以上４００％以下であることが更に好ましい。
同様な観点から、間隔（Ｄ１）は、５ｍｍ以上であることが好ましく、１０ｍｍ以上であることが更に好ましく、そして、４０ｍｍ以下であることが好ましく、３０ｍｍ以下であることが更に好ましく、具体的には、５ｍｍ以上４０ｍｍ以下であることが好ましく、１０ｍｍ以上３０ｍｍ以下であることが更に好ましい。
同様な観点から、非固定部６３の横方向Ｙの間隔（Ｗ６３１）は、２０ｍｍ以上であることが好ましく、３０ｍｍ以上であることが更に好ましく、そして、１００ｍｍ以下であることが好ましく、８０ｍｍ以下であることが更に好ましく、具体的には、２０ｍｍ以上１００ｍｍ以下であることが好ましく、３０ｍｍ以上８０ｍｍ以下であることが更に好ましい。
【００４０】
また、おむつ１の着用時に着用者の動きに伴って吸収性本体２が移動し易く吸収性本体２の着用者へのフィット感が向上する観点から、図３（ｂ）及び図４（ｂ）に示す外装体３の自然状態において、おむつ１を横方向Ｙに沿って断面視して、吸収体２３の側部２３Ｓの側縁と外装体固定部５３の非固定部６３側の側縁５３Ｓと間隔（Ｄ２）は、１０ｍｍ以上であることが好ましく、１５ｍｍ以上であることが更に好ましく、そして、４０ｍｍ以下であることが好ましく、３５ｍｍ以下であることが更に好ましく、具体的には、１０ｍｍ以上４０ｍｍ以下であることが好ましく、１５ｍｍ以上３５ｍｍ以下であることが更に好ましい。
【００４１】
外装体固定部５３によって外装体３の収縮が阻害され難く、おむつ１の着用時の外観において、外装体３に無秩序な皺が発生し難く、審美性が向上する観点から、図３（ｂ）に示すように、外装体３の自然状態において、おむつ１を横方向Ｙに沿って断面視して、外装体固定部５３の幅が吸収体２３の幅よりも狭いことが好ましい。おむつ１のように、外装体固定部５３が一対形成されている場合には、外装体固定部５３の幅とは、各外装体固定部５３の幅の総和を意味する。このような関係が、腹側部Ｆ及び背側部Ｒの両方において成立していることが好ましく、図４（ｂ）に示すように、腹側部Ｆ及び背側部Ｒのみならず股下部Ｍにおいても成立していることが更に好ましい。
【００４２】
おむつ１の着用時の外観において、防漏カフ４が見え難く、審美性が向上する観点から、図４（ｂ）に示すように、外装体３の自然状態において、おむつ１の股下部Ｍを横方向Ｙに沿って断面視して、カフ形成用シート４１と吸収性本体２とを固定するカフ固定部５１の少なくとも一部が本体固定部５２と厚み方向で重なる位置に配されていることが好ましい。具体的には、上側のカフ固定部５１ａ及び下側のカフ固定部５１ｂの少なくとも一方が、少なくとも一部において、本体固定部５２と厚み方向で重なる位置に配されていることが好ましく、上側のカフ固定部５１ａ及び下側のカフ固定部５１ｂの少なくとも一方の全域が、本体固定部５２の横方向Ｙの範囲内に位置していることが更に好ましい。特に、上側のカフ固定部５１ａ及び下側のカフ固定部５１ｂのうちの下側のカフ固定部５１ｂが、本体固定部５２と重なる位置に配されていることが好ましく、その全域が本体固定部５２の横方向Ｙの範囲内に位置していることが更に好ましい。
【００４３】
おむつ１の外観の審美性が向上する観点から、図３（ａ）及び図４（ａ）に示す外装体３を伸長させた状態における外装体固定部５３の縦方向Ｘに沿う非固定部６３側の側縁５３Ｓ，５３Ｓどうしの間隔（ＬＳ５３）に対する、図３（ｂ）及び図４（ｂ）に示す外装体３の自然状態における外装体固定部５３の縦方向Ｘに沿う非固定部６３側の両側縁５３Ｓ，５３Ｓどうしの間隔（ＬＮ５３）の割合（（ＬＳ５３／ＬＮ５３）×１００）は、１３０％以上であることが好ましく、１５０％以上であることが更に好ましく、そして、２８０％以下であることが好ましく、２５０％以下であることが更に好ましく、具体的には、１３０％以上２８０％以下であることが好ましく、１５０％以上２５０％以下であることが更に好ましい。
【００４４】
外装体固定部５３によって外装体３の収縮が阻害され難く、おむつ１の着用時の外観において、外装体３に無秩序な皺が発生し難く、審美性が向上する観点から、図４（ａ）に示す外装体３を横方向Ｙに伸長させた状態の股下部Ｍにおいて、外装体３の横方向Ｙの長さ（Ｗ３）に対する、伸長状態における外装体固定部５３の横方向Ｙの長さ（一対の外装体固定部５３，５３を備える場合は横方向Ｙの長さの総和）（ＷＳ５３）の割合（（ＷＳ５３／Ｗ３）×１００）は、３％以上であることが好ましく、５％以上であることが更に好ましく、そして、４０％以下であることが好ましく、３０％以下であることが更に好ましく、具体的には、３％以上４０％以下であることが好ましく、５％以上３０％以下であることが更に好ましい。
【００４５】
図３（ａ）及び図４（ａ）に示す外装体３を横方向Ｙに伸長させた状態において、吸収体２３の横方向Ｙの長さ（Ｗ２３）に対する、本体固定部５２の横方向Ｙの長さ（一対の本体固定部５２，５２を備える場合は横方向Ｙの長さの総和）（Ｗ５２）の割合（（Ｗ５２／Ｗ２３）×１００）が、５％以上であることが好ましく、１０％以上であることが更に好ましく、そして、４０％以下であることが好ましく、３０％以下であることが更に好ましく、具体的には、５％以上４０％以下であることが好ましく、１０％以上３０％以下であることが更に好ましい。
【００４６】
図６〜図１２には本発明の他の実施形態が示されている。後述する他の実施形態については、上述した図１〜図４に示すおむつ１と異なる構成部分を主として説明し、同様の構成部分は同一の符号を付して説明を省略する。特に説明しない構成部分は、上述したおむつ１についての説明が適宜適用される。図６〜図１２に示すおむつ１は、特に、シート部材６の形状、本体固定部５２及び外装体固定部５３の配置位置等が、上述したおむつ１と異なっている。
【００４７】
図６（ａ）及び図６（ｂ）に示すおむつ１は、一対のシート部材６，６の折り畳み形状が図３及び図４に示す実施形態と異なっている。各シート部材６は、図６に示すように、横方向Ｙの中間部分が吸収性本体２側において横方向Ｙ外方に凸になり、外装体３側において横方向Ｙ内方に凸になるように２か所で折り返されて折り畳まれている。図６に示すおむつ１では、シート部材６が２か所で折り返されて折り畳まれた形態であるため、本体固定部５２が形成されたシート部材６の面と、外装体固定部５３が形成されたシート部材６の面とが異なる面となっている。
【００４８】
図６（ａ）及び図６（ｂ）に示すおむつ１では、図６（ｂ）に示すように、外装体３の自然状態において、本体固定部５２と外装体固定部５３とを隔てる非固定部６３における外方に凸に折り畳まれた部分が、吸収性本体２の側部２Ｓから横方向Ｙ外方に延出している。図６に示すおむつ１によっても、図１〜図４に示すおむつ１と同様の効果が奏される。
【００４９】
次に、図７（ａ）及び図７（ｂ）に示すおむつ１は、シート部材６が一枚のシートで形成されており、一枚のシートの縦方向Ｘに沿う両側部を重ね合わせて固定した環状に形成されている。環状に形成されたシート部材６は、縦方向Ｘの全長と吸収性本体２の縦方向Ｘの全長とが略同じ長さである。また、環状に形成されたシート部材６は、図７（ａ）に示すように、横方向Ｙの全長が吸収性本体２の横方向Ｙの全長よりも長く、外装体３の横方向Ｙの全長よりも短く形成されている。図７に示すおむつ１では、環状に形成されたシート部材６は、着用時に着用者の動きに伴って吸収性本体２を移動させ易くする観点から、股下部Ｍにおいては外装体３の横方向Ｙの全長よりも長く形成されていることが好ましい。
【００５０】
図７（ａ）及び図７（ｂ）に示すおむつ１では、本体固定部５２及び外装体固定部５３が１つずつ配されている。その為、本体固定部５２は、本体固定部５２の縦方向Ｘに沿う両側縁として、一対の側縁５２Ｓ，５２Ｓのみを有しており、外装体固定部５３は、外装体固定部５３の縦方向Ｘに沿う両側縁として、一対の側縁５３Ｓ，５３Ｓのみを有している。おむつ１では、１つの本体固定部５２が、シート部材６の縦方向Ｘの全長に亘って形成されている。そして、図７（ａ）に示すように、１つの本体固定部５２の非固定部６３側の側縁５２Ｓが、吸収体２３の縦方向Ｘに沿う最も横方向Ｙ外方の側縁の位置に一致している。
【００５１】
図７（ａ）及び図７（ｂ）に示すおむつ１では、１つの外装体固定部５３が、シート部材６の縦方向Ｘの全長に亘って形成されている。そして、図７（ａ）に示すように、外装体３を横方向Ｙに伸長させた状態において、おむつ１を横方向Ｙに沿って断面視して、外装体固定部５３の縦方向Ｘに沿う両側縁５３Ｓ，５３Ｓが、本体固定部５２の縦方向Ｘに沿う両側縁５２Ｓ，５２Ｓよりも横方向Ｙ外方に位置している。そして、図７（ｂ）に示すように、外装体３の自然状態においても、おむつ１を横方向Ｙに沿って断面視して、外装体固定部５３の縦方向Ｘに沿う両側縁５３Ｓ，５３Ｓが、本体固定部５２の縦方向Ｘに沿う両側縁５２Ｓ，５２Ｓよりも横方向Ｙ外方に位置している。図７（ａ）及び図７（ｂ）に示すおむつ１では、外装体３の自然状態において、シート部材６における本体固定部５２と外装体固定部５３とを隔てる非固定部６３が横方向Ｙ外方に向かって形成されており、非固定部６３における外方に凸に折り畳まれた部分が、吸収性本体２の側部２Ｓから横方向Ｙ外方に延出している。図７に示すおむつ１によっても、図１〜図４に示すおむつ１と同様の効果が奏される。
【００５２】
次に、図８（ａ）及び図８（ｂ）に示すおむつ１は、図７に示すおむつ１と同様に、シート部材６が環状に形成されている。環状に形成されたシート部材６は、縦方向Ｘの全長と吸収性本体２の縦方向Ｘの全長とが略同じ長さである。また、環状に形成されたシート部材６は、図８（ａ）に示すように、横方向Ｙの全長が吸収性本体２の横方向Ｙの全長よりも長く、外装体３の横方向Ｙの全長よりも短く形成されている。図８に示すおむつ１では、環状に形成されたシート部材６は、着用時に着用者の動きに伴って吸収性本体２を移動させ易くする観点から、股下部Ｍにおいては外装体３の横方向Ｙの全長よりも長く形成されていることが好ましい。
【００５３】
図８（ａ）及び図８（ｂ）に示すおむつ１では、本体固定部５２及び外装体固定部５３が、それぞれ、横方向Ｙに間隔を空けて一対形成されている。一対の本体固定部５２，５２は、吸収性本体２の縦方向Ｘに沿う両側部２Ｓ，２Ｓに対応する位置に配されている。各本体固定部５２は、シート部材６の縦方向Ｘの全長に亘って形成されている。そして、図８（ａ）に示すように、各本体固定部５２における縦方向Ｘに沿う非固定部６３側の側縁５２Ｓが、吸収体２３の縦方向Ｘに沿う最も横方向Ｙ外方の側縁の位置に一致している。
【００５４】
図８（ａ）及び図８（ｂ）に示すおむつ１では、１対の外装体固定部５３，５３が、シート部材６の縦方向Ｘの全長に亘って形成されている。そして、図８（ａ）に示すように、外装体３を横方向Ｙに伸長させた状態において、おむつ１を横方向Ｙに沿って断面視して、各外装体固定部５３の縦方向Ｘに沿う非固定部６３側の側縁５３Ｓが、各本体固定部５２の縦方向Ｘに沿う非固定部６３側の側縁５２Ｓよりも横方向Ｙ外方に位置している。そして、図８（ｂ）に示すように、外装体３の自然状態においても、おむつ１を横方向Ｙに沿って断面視して、各外装体固定部５３の縦方向Ｘに沿う非固定部６３側の側縁５３Ｓが、各本体固定部５２の縦方向Ｘに沿う非固定部６３側の側縁５２Ｓよりも横方向Ｙ外方に位置している。図８（ａ）及び図８（ｂ）に示すおむつ１では、外装体３の自然状態において、シート部材６における本体固定部５２と外装体固定部５３とを隔てる非固定部６３が横方向Ｙ外方に向かって形成されており、非固定部６３における外方に凸に折り畳まれた部分が、吸収性本体２の側部２Ｓから横方向Ｙ外方に延出している。図８に示すおむつ１によっても、図１〜図４に示すおむつ１と同様の効果が奏される。
【００５５】
次に、図９（ａ）及び図９（ｂ）に示すおむつ１は、図７及び図８に示すおむつ１と同様に、シート部材６が環状に形成されている。環状に形成されたシート部材６は、縦方向Ｘの全長と吸収性本体２の縦方向Ｘの全長とが略同じ長さである。また、環状に形成されたシート部材６は、図８（ａ）に示すように、横方向Ｙの全長が吸収性本体２の横方向Ｙの全長よりも長く、外装体３の横方向Ｙの全長よりも短く形成されている。図９に示すおむつ１では、環状に形成されたシート部材６は、着用時に着用者の動きに伴って吸収性本体２を移動させ易くする観点から、股下部Ｍにおいては外装体３の横方向Ｙの全長よりも長く形成されていることが好ましい。
【００５６】
図９（ａ）及び図９（ｂ）に示すおむつ１では、本体固定部５２及び外装体固定部５３が１つずつ配されている。その為、本体固定部５２は、本体固定部５２の縦方向Ｘに沿う両側縁として、一対の側縁５２Ｓ，５２Ｓのみを有しており、外装体固定部５３は、外装体固定部５３の縦方向Ｘに沿う両側縁として、一対の側縁５３Ｓ，５３Ｓのみを有している。おむつ１では、１つの本体固定部５２が、シート部材６の縦方向Ｘの全長に亘って形成されている。そして、図９（ａ）に示すように、１つの本体固定部５２における縦方向Ｘに沿う非固定部６３側の側縁５２Ｓが、吸収体２３の縦方向Ｘに沿う最も横方向Ｙ外方の側縁よりも横方向Ｙ内方に位置している。具体的には、本体固定部５２の非固定部側の側縁５２Ｓが、下側のカフ固定部５１ｂにて固定された防漏カフ４の一端よりも横方向Ｙ内方に位置しており、本体固定部５２が防漏カフ４を吸収性本体２に固定するのに関与していない状態になっている。防漏カフ４の吸収性本体２への固定に本体固定部５２が関与しないことで、防漏カフ４を形成する厚み方向に積層される材料の個数が少なくなり、自然状態において防漏カフ４が起立し易くなる。
【００５７】
図９（ａ）及び図９（ｂ）に示すおむつ１では、１つの外装体固定部５３が、シート部材６の縦方向Ｘの全長に亘って形成されている。そして、図９（ａ）に示すように、外装体３を横方向Ｙに伸長させた状態において、おむつ１を横方向Ｙに沿って断面視して、外装体固定部５３の縦方向Ｘに沿う両側縁５３Ｓ，５３Ｓが、本体固定部５２の縦方向Ｘに沿う両側縁５２Ｓ，５２Ｓよりも横方向Ｙ外方に位置している。そして、図９（ｂ）に示すように、外装体３の自然状態においても、おむつ１を横方向Ｙに沿って断面視して、外装体固定部５３の縦方向Ｘに沿う両側縁５３Ｓ，５３Ｓが、本体固定部５２の縦方向Ｘに沿う両側縁５２Ｓ，５２Ｓよりも横方向Ｙ外方に位置している。図９（ａ）及び図９（ｂ）に示すおむつ１では、外装体３の自然状態において、シート部材６における本体固定部５２と外装体固定部５３とを隔てる非固定部６３が横方向Ｙ外方に向かって形成されており、非固定部６３における外方に凸に折り畳まれた部分が、吸収性本体２の側部２Ｓから横方向Ｙ外方に延出している。図９に示すおむつ１によっても、図１〜図４に示すおむつ１と同様の効果が奏される。
【００５８】
次に、図１０（ａ）及び図１０（ｂ）に示すおむつ１は、シート部材６が一枚のシートで形成されており、一枚のシートの縦方向Ｘに沿う両側部を重ね合わせることなく、横方向Ｙに間隔を空けた非環状に形成されている。シート部材６の縦方向Ｘに沿う該両側部は、吸収性本体２の縦方向Ｘに沿う両側部２Ｓ，２Ｓに対応する位置に配されている。非環状に形成されたシート部材６は、縦方向Ｘの全長と吸収性本体２の縦方向Ｘの全長とが略同じ長さである。また、非環状に形成されたシート部材６は、図１０（ａ）に示すように、横方向Ｙの全長が吸収性本体２の横方向Ｙの全長よりも長く、外装体３の横方向Ｙの全長よりも短く形成されている。図９に示すおむつ１では、着用時に着用者の動きに伴って吸収性本体２を移動させ易くする観点から、股下部Ｍにおいては外装体３の横方向Ｙの全長よりも長く形成されていることが好ましい。
【００５９】
図１０（ａ）及び図１０（ｂ）に示すおむつ１では、本体固定部５２が横方向Ｙに間隔を空けて一対形成されている。また、外装体固定部５３は、一対形成されていてもよいが、図１０に示すおむつ１では、１つ配されている。その為、外装体固定部５３は、外装体固定部５３の縦方向Ｘに沿う両側縁として、一対の側縁５３Ｓ，５３Ｓのみを有している。おむつ１では、一対の本体固定部５２，５２は、吸収性本体２の縦方向Ｘに沿う両側部２Ｓ，２Ｓに対応する位置に配されている。各本体固定部５２は、シート部材６の縦方向Ｘの全長に亘って形成されている。そして、図１０（ａ）に示すように、各本体固定部５２における縦方向Ｘに沿う非固定部６３側の側縁５２Ｓが、吸収体２３の縦方向Ｘに沿う最も横方向Ｙ外方の側縁の位置に一致している。
【００６０】
図１０（ａ）及び図１０（ｂ）に示すおむつ１では、１つの外装体固定部５３が、シート部材６の縦方向Ｘの全長に亘って形成されている。そして、図１０（ａ）に示すように、外装体３を横方向Ｙに伸長させた状態において、おむつ１を横方向Ｙに沿って断面視して、外装体固定部５３の縦方向Ｘに沿う両側縁５３Ｓ，５３Ｓが、各本体固定部５２の縦方向Ｘに沿う側縁５２Ｓよりも横方向Ｙ外方に位置している。そして、図１０（ｂ）に示すように、外装体３の自然状態においても、おむつ１を横方向Ｙに沿って断面視して、外装体固定部５３の縦方向Ｘに沿う両側縁５３Ｓ，５３Ｓが、各本体固定部５２の縦方向Ｘに沿う側縁５２Ｓよりも横方向Ｙ外方に位置している。図１０（ａ）及び図１０（ｂ）に示すおむつ１では、外装体３の自然状態において、シート部材６における本体固定部５２と外装体固定部５３とを隔てる非固定部６３が横方向Ｙ外方に向かって形成されており、非固定部６３における外方に凸に折り畳まれた部分が、吸収性本体２の側部２Ｓから横方向Ｙ外方に延出している。図１０に示すおむつ１によっても、図１〜図４に示すおむつ１と同様の効果が奏される。
【００６１】
次に、図１１（ａ）及び図１１（ｂ）に示すおむつ１は、カフ形成用シート４１が１枚のシートにより形成されている。図１１に示すおむつ１では、１枚のカフ形成用シート４１は、一対の防漏カフ４，４を有しており、吸収性本体２から外装体３に向かって延びる延出域４１ｅを備えている。そして、カフ形成用シート４１の備える延出域４１ｅが、上述のシート部材６（図３等参照）に代えて、吸収性本体２と外装体３とを固定している。具体的には、延出域４１ｅは縦方向Ｘに延在しており、延出域４１ｅの縦方向Ｘの全長と吸収性本体２の縦方向Ｘの全長とは略同じ長さである。図１１に示すおむつ１では、延出域４１ｅは、吸収性本体２の縦方向Ｘに沿う両側部２Ｓ，２Ｓそれぞれに対応する位置を含む領域に一対配されており、互いに横方向Ｙに間隔を空けて配されている。各延出域４１ｅは、横方向Ｙの中間部分が、吸収性本体２側において横方向Ｙ内方に凸になり、外装体３側において横方向Ｙ外方に凸になるように２か所で折り返されて折り畳まれている。
【００６２】
図１１（ａ）及び図１１（ｂ）に示すおむつ１では、吸収性本体２と外装体３とは、直接接合されておらず、吸収性本体２の両側部２Ｓ，２Ｓにおいて、カフ形成用シート４１の延出域４１ｅを介して固定されている。吸収性本体２の両側部２Ｓ，２Ｓそれぞれには、吸収性本体２の非肌対向面に、防漏カフ４を構成するカフ形成用シート４１が固定された本体固定部５２が形成されている。本体固定部５２は、横方向Ｙに間隔を空けて一対形成されている。各本体固定部５２は、吸収性本体２の縦方向Ｘの全長に亘って延びている。図１１（ａ）に示すように、各本体固定部５２における縦方向Ｘに沿う非固定部６３側の側縁５２Ｓが、吸収体２３の縦方向Ｘに沿う最も横方向Ｙ外方の側縁の位置に一致している。
【００６３】
図１１（ａ）及び図１１（ｂ）に示すおむつ１では、外装体固定部５３は、横方向Ｙに間隔を空けて一対形成されている。各外装体固定部５３は、シート部材６の縦方向Ｘの全長に亘って形成されている。そして、図１１（ａ）に示すように、外装体３を横方向Ｙに伸長させた状態において、おむつ１を横方向Ｙに沿って断面視して、外装体固定部５３の縦方向Ｘに沿う両側縁５３Ｓ，５３Ｓが、各本体固定部５２の縦方向Ｘに沿う非固定部６３側の側縁５２Ｓよりも横方向Ｙ外方に位置している。そして、図１１（ｂ）に示すように、外装体３の自然状態においても、おむつ１を横方向Ｙに沿って断面視して、外装体固定部５３の縦方向Ｘに沿う両側縁５３Ｓ，５３Ｓが、各本体固定部５２の縦方向Ｘに沿う非固定部６３側の側縁５２Ｓよりも横方向Ｙ外方に位置している。図１１（ａ）及び図１１（ｂ）に示すおむつ１では、外装体３の自然状態において、カフ形成用シート４１の延出域４１ｅにより形成されたシート部材６における非固定部６３が横方向Ｙ外方に向かって形成されており、非固定部６３における外方に凸に折り畳まれた部分が、吸収性本体２の側部２Ｓから横方向Ｙ外方に延出している。図１１に示すおむつ１によっても、図１〜図４に示すおむつ１と同様の効果が奏される。
【００６４】
次に、図１２（ａ）及び図１２（ｂ）に示すおむつ１では、吸収性本体２を構成する裏面シート２２の縦方向Ｘに沿う両側部２２Ｓ，２２Ｓが、吸収性本体２から外装体３に向かって延びている。そして、各裏面シート２２の側部２２Ｓが、上述のシート部材６（図３等参照）に代えて、吸収性本体２と外装体３とを固定している。具体的には、各裏面シートの側部２２Ｓは、縦方向Ｘに延在している。図１２に示すおむつ１では、各裏面シートの側部２２Ｓは、横方向Ｙの中間部分が、横方向Ｙ外方に凸になるように１か所で折り返されて折り畳まれている。
【００６５】
図１２（ａ）及び図１２（ｂ）に示すおむつ１では、吸収性本体２と外装体３とは、吸収性本体２の両側部２Ｓ，２Ｓにおいて、各裏面シートの延出した側部２２Ｓを介して固定されている。吸収性本体２の両側部２Ｓ，２Ｓそれぞれには、吸収性本体２と各裏面シートの側部２２Ｓとが固定された本体固定部５２が形成されている。本体固定部５２は、横方向Ｙに間隔を空けて一対形成されている。各本体固定部５２は、吸収性本体２の縦方向Ｘの全長に亘って延びている。
【００６６】
図１２（ａ）及び図１２（ｂ）に示すおむつ１では、外装体固定部５３は、横方向Ｙに間隔を空けて一対形成されている。各外装体固定部５３は、シート部材６の縦方向Ｘの全長に亘って形成されている。そして、図１２（ａ）に示すように、外装体３を横方向Ｙに伸長させた状態において、おむつ１を横方向Ｙに沿って断面視して、外装体固定部５３の縦方向Ｘに沿う両側縁５３Ｓ，５３Ｓが、各本体固定部５２の縦方向Ｘに沿う非固定部６３側の側縁５２Ｓよりも横方向Ｙ外方に位置している。そして、図１２（ｂ）に示すように、外装体３の自然状態においても、おむつ１を横方向Ｙに沿って断面視して、外装体固定部５３の縦方向Ｘに沿う両側縁５３Ｓ，５３Ｓが、各本体固定部５２の縦方向Ｘに沿う非固定部６３側の側縁５２Ｓよりも横方向Ｙ外方に位置している。図１２（ａ）及び図１２（ｂ）に示すおむつ１では、外装体３の自然状態において、裏面シートの延出した側部２２Ｓにより形成されたシート部材６における非固定部６３が横方向Ｙ外方に向かって形成されており、非固定部６３における外方に凸に折り畳まれた部分が、吸収性本体２の側部２Ｓから横方向Ｙ外方に延出している。図１２に示すおむつ１によっても、図１〜図４に示すおむつ１と同様の効果が奏される。
【００６７】
以上、本発明をその実施形態に基づいて説明したが、本発明は、前記実施形態に制限されることなく適宜変更が可能である。
【００６８】
例えば、上述の図３〜図１１に示すおむつ１では、上側のカフ固定部５１ａは、図３及び図４に示すように、防漏カフ４と表面シート２１とを固定して形成されているが、防漏カフ４と肌対向面側に巻き上げられた裏面シート２２とを固定して形成されていてもよく、防漏カフ４と巻き上げられた裏面シート２２及び表面シート２１に跨った部分とを固定して形成されていてもよい。
【００６９】
また、本発明の着用物品は、前述したおむつ１の如きパンツ型使い捨ておむつに限定されず、例えば、展開型使い捨ておむつに適用することができる。また、女性用のパンツ型の生理用ナプキンであってもよく、使い捨てのショーツであってもよい。
前述した本発明の実施形態に関し、更に以下の付記を開示する。
【００７０】
＜１＞
液保持性の吸収体を含む吸収性本体と、該吸収性本体の非肌対向面側に配された外装体とを備え、着用者の前後方向に対応する縦方向とこれに直交する横方向とを有する着用物品であって、前記吸収性本体と前記外装体とは、該吸収性本体と該外装体との間に配されたシート部材を介して固定されており、前記外装体は、少なくとも前記吸収性本体と重なる領域において、少なくとも前記横方向に伸縮性を有し、前記着用物品は、前記吸収性本体と前記シート部材とが前記縦方向に沿って固定された本体固定部と、前記外装体と該シート部材とが前記縦方向に沿って固定された外装体固定部とを備え、前記シート部材は、前記本体固定部と前記外装体固定部との間に該本体固定部と該外装体固定部とを隔てる非固定部を有し、前記外装体を前記横方向に伸長させた状態及び前記外装体の自然状態において、それぞれ、前記外装体固定部の前記縦方向に沿う前記非固定部側の側縁が、前記本体固定部の前記縦方向に沿う前記非固定部側の側縁よりも前記横方向外方に位置しており、前記外装体の自然状態において、前記非固定部の一部が前記吸収性本体の前記縦方向に沿う側部から前記横方向外方に延出している、着用物品。
＜２＞
前記外装体の自然状態において、前記外装体固定部の前記非固定部側の側縁と前記本体固定部の前記非固定部側の側縁との間隔（Ｄ１）に対する、前記非固定部の前記横方向に沿う長さ（Ｗ６３１）の割合（（Ｗ６３１／Ｄ１）×１００）は、１２５％以上であり、５００％以下である、前記＜１＞に記載の着用物品。
＜３＞
前記割合（（Ｗ６３１／Ｄ１）×１００）は、１２５％以上であることが好ましく、２００％以上であることが更に好ましく、そして、５００％以下であることが好ましく、４００％以下であることが更に好ましく、具体的には、１２５％以上５００％以下であることが好ましく、２００％以上４００％以下であることが更に好ましい、前記＜２＞に記載の着用物品。
＜４＞
前記外装体固定部の前記非固定部側の側縁と前記本体固定部の前記非固定部側の側縁との間隔（Ｄ１）は、５ｍｍ以上であることが好ましく、１０ｍｍ以上であることが更に好ましく、そして、４０ｍｍ以下であることが好ましく、３０ｍｍ以下であることが更に好ましく、具体的には、５ｍｍ以上４０ｍｍ以下であることが好ましく、１０ｍｍ以上３０ｍｍ以下であることが更に好ましい、前記＜１＞〜＜３＞の何れか１に記載の着用物品。
＜５＞
前記非固定部の横方向に沿う長さ（Ｗ６３１）は、２０ｍｍ以上であることが好ましく、３０ｍｍ以上であることが更に好ましく、そして、１００ｍｍ以下であることが好ましく、８０ｍｍ以下であることが更に好ましく、具体的には、２０ｍｍ以上１００ｍｍ以下であることが好ましく、３０ｍｍ以上８０ｍｍ以下であることが更に好ましい、前記＜１＞〜＜４＞の何れか１に記載の着用物品。
＜６＞
前記外装体の自然状態において、前記吸収体の前記側部の側縁と前記外装体固定部の前記非固定部側の側縁と間隔（Ｄ２）は、１０ｍｍ以上であり、４０ｍｍ以下である、前記＜１＞〜＜５＞の何れか１に記載の着用物品。
＜７＞
前記シート部材は、前記吸収性本体の前記縦方向に沿う両側部それぞれに配されている、前記＜１＞〜＜６＞の何れか１に記載の着用物品。
＜８＞
前記吸収性本体における前記縦方向に沿う両側部それぞれに防漏カフが配されており、各前記防漏カフを形成するカフ形成用シートは、前記吸収性本体から前記外装体に向かって延びる延出域を備え、前記シート部材は、前記カフ形成用シートの前記延出域により形成されている、前記＜１＞〜＜７＞の何れか１に記載の着用物品。
＜９＞
前記吸収性本体は、前記吸収体の非肌対向面側を覆う裏面シートを含み、前記裏面シートは、その前記縦方向に沿う両側部が、前記吸収性本体から前記外装体に向かって延びており、前記シート部材は、前記裏面シートの前記側部により形成されている、前記＜１＞〜＜７＞の何れか１に記載の着用物品。
＜１０＞
前記外装体を横方向に伸長させた状態において、前記着用物品を横方向に沿って断面視して、前記外装体固定部の前記非固定部側の側縁が、前記本体固定部の非固定部側の側縁よりも横方向外方に位置している、前記＜１＞〜＜９＞の何れか１に記載の着用物品。
【００７１】
＜１１＞
前記本体固定部及び前記外装体固定部が、それぞれ、一対形成されている場合には、前記外装体を横方向に伸長させた状態において、前記着用物品を横方向に沿って断面視して、各外装体固定部の全域が、前記本体固定部の前記非固定部側の側縁よりも横方向外方に位置している、前記＜１＞〜＜１０＞の何れか１に記載の着用物品。
＜１２＞
前記外装体の自然状態において、前記着用物品を横方向に沿って断面視して、前記外装体固定部の前記非固定部側の側縁が、前記本体固定部の前記非固定部側の側縁よりも横方向外方に位置している、前記＜１＞〜＜１１＞の何れか１に記載の着用物品。
＜１３＞
前記外装体の自然状態において、前記着用物品を横方向に沿って断面視して、前記外装体固定部の幅が前記吸収体の幅よりも狭い、前記＜１＞〜＜１２＞の何れか１に記載の着用物品。
＜１４＞
前記吸収性本体における前記縦方向に沿う両側部それぞれに防漏カフが配されており、前記防漏カフは、前記吸収性本体の上側に配される上側のカフ固定部及び前記吸収性本体の下側に配される下側のカフ固定部において前記吸収性本体の側部に固定されており、上側の前記カフ固定部と下側の前記カフ固定部とは、厚み方向で重なるように配されている、前記＜１＞〜＜１３＞の何れか１に記載の着用物品。
＜１５＞
前記吸収性本体の上側に配される上側のカフ固定部及び前記吸収性本体の下側に配される下側のカフ固定部の少なくとも一方が、前記本体固定部と厚み方向で重なる位置に配されている、前記＜１＞〜＜１４＞の何れか１に記載の着用物品。
＜１６＞
前記吸収性本体の上側に配される上側のカフ固定部及び前記吸収性本体の下側に配される下側のカフ固定部の少なくとも一方の全域が、前記本体固定部の横方向の範囲内に位置している、前記＜１＞〜＜１５＞の何れか１に記載の着用物品。
＜１７＞
前記外装体固定部では、前記シート部材の他端部が、前記外装体の肌対向面に、帯状に面接触する状態で固定されており、前記着用物品の自然状態において、前記外装体に形成された皺に沿って前記シート部材が配された状態となっている、前記＜１＞〜＜１６＞の何れか１に記載の着用物品。
＜１８＞
前記外装体の自然状態において、前記吸収体の横方向の長さ（Ｗ２３）に対する、前記シート部材の前記非固定部を平面視した際の横方向の間隔（一対の前記非固定部を備える場合はそれぞれの横方向の間隔の総和）（Ｗ６３１）の割合（（Ｗ６３１／Ｗ２３）×１００）は、２５％以上であることが好ましく、５０％以上であることが更に好ましく、そして、２００％以下であることが好ましく、１５０％以下であることが更に好ましく、具体的には、２５％以上２００％以下であることが好ましく、５０％以上１５０％以下であることが更に好ましい、前記＜１＞〜＜１７＞の何れか１に記載の着用物品。
＜１９＞
前記外装体を横方向に伸長させた状態の股下部において、前記外装体の横方向の長さ（Ｗ３）に対する、前記シート部材の前記非固定部を平面視した際の横方向の間隔（一対の前記非固定部を備える場合はそれぞれの横方向Ｙの間隔の総和）（Ｗ６３２）の割合（（Ｗ６３２／Ｗ３）×１００）は、１０％以上であることが好ましく、１５％以上であることが更に好ましく、そして、５０％以下であることが好ましく、４０％以下であることが更に好ましく、具体的には、１０％以上５０％以下であることが好ましく、１５％以上４０％以下であることが更に好ましい、前記＜１＞〜＜１８＞の何れか１に記載の着用物品。
＜２０＞
前記外装体を伸長させた状態における前記外装体固定部の縦方向に沿う前記非固定部側の側縁どうしの間隔（ＬＳ５３）に対する、前記外装体の自然状態における前記外装体固定部の縦方向に沿う前記非固定部側の両側縁どうしの間隔（ＬＮ５３）の割合（（ＬＳ５３／ＬＮ５３）×１００）は、１３０％以上であることが好ましく、１５０％以上であることが更に好ましく、そして、２８０％以下であることが好ましく、２５０％以下であることが更に好ましく、具体的には、１３０％以上２８０％以下であることが好ましく、１５０％以上２５０％以下であることが更に好ましい、前記＜１＞〜＜１９＞の何れか１に記載の着用物品。
【００７２】
＜２１＞
前記外装体を横方向に伸長させた状態の股下部において、前記外装体の横方向の長さ（Ｗ３）に対する、伸長状態における前記外装体固定部の横方向の長さ（一対の前記外装体固定部を備える場合は横方向の長さの総和）（ＷＳ５３）の割合（（ＷＳ５３／Ｗ３）×１００）は、３％以上であることが好ましく、５％以上であることが更に好ましく、そして、４０％以下であることが好ましく、３０％以下であることが更に好ましく、具体的には、３％以上４０％以下であることが好ましく、５％以上３０％以下であることが更に好ましい、前記＜１＞〜＜２０＞の何れか１に記載の着用物品。
＜２２＞
前記外装体を横方向に伸長させた状態において、前記吸収体の横方向の長さ（Ｗ２３）に対する、前記本体固定部の横方向の長さ（一対の前記本体固定部を備える場合は横方向の長さの総和）（Ｗ５２）の割合（（Ｗ５２／Ｗ２３）×１００）は、５％以上であることが好ましく、１０％以上であることが更に好ましく、そして、４０％以下であることが好ましく、３０％以下であることが更に好ましく、具体的には、５％以上４０％以下であることが好ましく、１０％以上３０％以下であることが更に好ましい、前記＜１＞〜＜２１＞の何れか１に記載の着用物品。
＜２３＞
前記シート部材として不織布を用いる場合、その不織布の坪量は、８ｇ／ｍ2以上であることが好ましく、１３ｇ／ｍ2以上であることが更に好ましく、そして、３０ｇ／ｍ2以下であることが好ましく、２０ｇ／ｍ2以下であることが更に好ましい、前記＜１＞〜＜２２＞の何れか１に記載の着用物品。
＜２４＞
前記シート部材は、前記外装体と同色又は同系色である、前記＜１＞〜＜２３＞の何れか１に記載の着用物品。
＜２５＞
前記シート部材には、前記外装体の柄又は模様等と同一又は類似の印刷が行われている、前記＜１＞〜＜２４＞の何れか１に記載の着用物品。
＜２６＞
股下部並びに該股下部の前後から縦方向に延出する腹側部及び背側部を有し、前記外装体は、該外装体の前記腹側部から前記背側部に亘る全域において横方向に伸縮性を有している、前記＜１＞〜＜２５＞の何れか１に記載の着用物品。
＜２７＞
前記非固定部は、前記吸収性本体及び前記外装体のみならず、前記着用物品を構成する全ての部材と固定されていない、前記＜１＞〜＜２６＞の何れか１に記載の着用物品。
＜２８＞
各前記シート部材は、横方向の中間部分が前記吸収性本体側において横方向外方に凸になり、前記外装体側において横方向内方に凸になるように２か所で折り返されて折り畳まれている、前記＜１＞〜＜２７＞の何れか１に記載の着用物品。
＜２９＞
前記シート部材は、一枚のシートで形成され、一枚の該シートの縦方向に沿う両側部を重ね合わせて固定した環状に形成されており、前記本体固定部及び前記外装体固定部は１つずつ配されている、前記＜１＞〜＜２７＞の何れか１に記載の着用物品。
＜３０＞
前記シート部材は、一枚のシートで形成され、一枚の該シートの縦方向に沿う両側部を重ね合わせて固定した環状に形成されており、前記本体固定部及び前記外装体固定部は、それぞれ、横方向に間隔を空けて一対形成されている、前記＜１＞〜＜２７＞の何れか１に記載の着用物品。
【００７３】
＜３１＞
前記シート部材は、一枚のシートで形成され、一枚の該シートの縦方向に沿う両側部を重ね合わせて固定した環状に形成されており、前記本体固定部及び前記外装体固定部は１つずつ配されており、１つの本体固定部における縦方向に沿う前記非固定部側の側縁は、前記吸収体の縦方向に沿う最も横方向外方の側縁よりも横方向内方に位置している、前記＜１＞〜＜２７＞の何れか１に記載の着用物品。
＜３２＞
前記シート部材は、一枚のシートで形成され、一枚の該シートの縦方向に沿う両側部を重ね合わせることなく、横方向に間隔を空けた非環状に形成されており、前記本体固定部は横方向に間隔を空けて一対形成され、前記外装体固定部は１つ配されている、前記＜１＞〜＜２７＞の何れか１に記載の着用物品。
＜３３＞
前記吸収性本体における前記縦方向に沿う両側部それぞれに防漏カフが配されており、各前記防漏カフを形成するカフ形成用シートは、前記吸収性本体から前記外装体に向かって延びる延出域を備え、前記延出域が、シート部材に代えて、前記吸収性本体と前記外装体とを固定している、前記＜１＞〜＜２７＞の何れか１に記載の着用物品。
＜３４＞
前記吸収性本体は、前記吸収体の非肌対向面側を覆う裏面シートを含み、前記裏面シートは、縦方向に沿う両側部が、前記吸収性本体から前記外装体に向かって延びており、前記裏面シートの延出した前記側部が、シート部材に代えて、前記吸収性本体と前記外装体とを固定している、前記＜１＞〜＜２７＞の何れか１に記載の着用物品。
【符号の説明】
【００７４】
１  パンツ型使い捨ておむつ（着用物品）
Ｆ  腹側部
Ｍ  股下部
Ｒ  背側部
２  吸収性本体
２１  表面シート
２２  裏面シート
２３  吸収体
２３Ｓ  側部
３  外装体
３１  外層シート
３２  内層シート
３３  弾性部材
４  防漏カフ
４１  カフ形成用シート
４２  カフ弾性部材
５１  カフ固定部
５１ａ  上側のカフ固定部
５１ｂ  下側のカフ固定部
５２  本体固定部
５２Ｓ  本体固定部の非固定部側の側縁
５３  外装体固定部
５３Ｓ  外装体固定部の非固定部側の側縁
６  シート部材
６１  一端部
６２  他端部
６３  非固定部
Ｘ  縦方向
Ｙ  横方向
【図１】
2019118590.tif 000003
【図２】
2019118590.tif 000004
【図３】
2019118590.tif 000005
【図４】
2019118590.tif 000006
【図５】
2019118590.tif 000007
【図６】
2019118590.tif 000008
【図７】
2019118590.tif 000009
【図８】
2019118590.tif 000010
【図９】
2019118590.tif 000011
【図１０】
2019118590.tif 000012
【図１１】
2019118590.tif 000013
【図１２】
2019118590.tif 000014